(57)【特許請求の範囲】
【請求項１】
主照明用ランプと；
補助照明用ランプと；
スイッチを介して商用電源から電力が供給され、前記スイッチのオンオフ操作および前記スイッチがオンしているときにリモコン装置またはプルスイッチの手動操作に応じて主照明用ランプおよび補助照明用ランプを付勢する点灯回路と；
前記スイッチの瞬時開閉の操作に伴う瞬時遮断を検出する検出手段と；
検出手段により検出された瞬時遮断および操作者によるリモコン装置またはプルスイッチの手動操作に応動して主照明用ランプおよび補助照明用ランプの点灯状態が切り換わるように点灯回路の出力を制御する制御手段と；
リモコン装置またはプルスイッチによる所定の操作がなされたときに、制御手段における前記スイッチの瞬時開閉の操作に応じた制御を禁止する禁止手段と；
禁止手段によって禁止された前記制御を解除する解除手段と；
を具備していることを特徴とする照明装置。
【請求項２】
禁止手段は、リモコン装置による特定の操作がなされたときに、制御手段における前記スイッチの瞬時開閉の操作に応じた制御を禁止することを特徴とする請求項１記載の照明装置。
【発明の詳細な説明】
【０００１】
【発明の属する技術分野】
本発明は、照明負荷の点灯状態が順次切り換わる照明装置に関する。
【０００２】
【従来の技術】
一般的な照明装置において、照明負荷の点灯状態はリモコン装置あるいはプルスイッチの操作により切り換えられている。これに加え、あるいは単独で、短時間内に電源スイッチを連続的にオンオフさせて照明負荷の点灯状態が切り換えられるように構成された照明装置も開発されている。この種の照明装置としては、例えば特公昭６１ー３０３９８号公報に示すものがある。この照明装置（従来例）は、図５に示すように、電源スイッチ１に並列に抵抗７を接続して、商用電源３から電源スイッチ１を介した２線配線により負荷制御回路２および照明負荷６ａ，６ｂ，６ｃ，６ｄに電力を給電している。そして、負荷制御回路２に印加される電圧が、電源スイッチ１のオン時の高電圧状態、オフ時の低電圧状態、停電時の０電圧状態の３状態を取り得るようにして、短時間内に電源スイッチ１がオンとオフを繰り返すと照明負荷６ａ，６ｂ，６ｃ，６ｄを順次切り換えるように構成されている。また、長時間電源スイッチ１をオフするかあるいは長時間の停電後は、電源スイッチ１を投入しても、あるいは停電が復帰しても照明負荷６ａ，６ｂ，６ｃ，６ｄは切り換わらないものである。こうして、一般的なリモコン装置、プルスイッチによる操作の他電源スイッチ１（通常、壁スイッチとして用いられる。）の操作によっても照明負荷を順次切り換えることができる。しかし、ユーザーによっては、リモコン装置あるいはプルスイッチのみを用いて照明負荷を順次切り換えることができる照明装置を使用する場合もある。ここで、上述した電源スイッチ１の開閉操作に応動して照明負荷が切り換わるように構成された照明装置を、その機能を使わないで一般的なリモコン装置やプルスイッチの操作によってのみ切り換わるように使用することは可能である。しかしながら、従来の電源スイッチ１の開閉操作に応動して切り換わるように構成されている照明装置は、瞬時停電が発生した時、短時間内に電源スイッチ１がオンとオフを繰り返した場合と同様となるので照明負荷６ａ，６ｂ，６ｃ，６ｄが切り換わるという欠点を有している。その結果、上述のとおり、リモコン装置、プルスイッチの他電源スイッチ１の開閉に伴って切り換わるように構成された照明装置を、リモコン装置あるいはプルスイッチのみを用いる照明装置に共用化することには支障があった。すなわち、電源スイッチ１の機能は、照明装置本体のマイコン等に搭載されており、電源スイッチ１の開閉による操作機能を使わないでリモコン装置あるいはプルスイッチのみの操作に対応したものとすると、瞬時停電が発生した時、電源スイッチ１の機能が動作して不所望な照明状態に切り換わる不具合があった。
【０００３】
【発明が解決しようとする課題】
本発明は、上記問題点に鑑みなされたもので、リモコン装置、プルスイッチおよび電源スイッチ（壁スイッチ）の操作によって照明負荷の点灯状態を切り換えることのできる照明装置を、電源スイッチの開閉による操作をしない使用形態にして、上記不具合を解消しその利便性を向上し得る照明装置を提供することを目的とする。
【０００４】
【課題を解決するための手段】
請求項１に記載の照明装置の発明は、主照明用ランプと；補助照明用ランプと；スイッチを介して商用電源から電力が供給され、前記スイッチのオンオフ操作および前記スイッチがオンしているときにリモコン装置またはプルスイッチの手動操作に応じて主照明用ランプおよび補助照明用ランプを付勢する点灯回路と；前記スイッチの瞬時開閉の操作に伴う瞬時遮断を検出する検出手段と；検出手段により検出された瞬時遮断および操作者によるリモコン装置またはプルスイッチの手動操作に応動して主照明用ランプおよび補助照明用ランプの点灯状態が切り換わるように点灯回路の出力を制御する制御手段と；リモコン装置またはプルスイッチによる所定の操作がなされたときに、制御手段における前記スイッチの瞬時開閉の操作に応じた制御を禁止する禁止手段と；禁止手段によって禁止された前記制御を解除する解除手段と；を具備していることを特徴とする。
【０００５】
本発明および以下の発明において、特に言及しない限り用語の定義および技術的意味は次のとおりとする。
【０００６】
補助照明用ランプは、例えば常夜灯などの豆球である。
【０００７】
点灯回路は、インバータ回路、コアとコイルを用いた安定器など特に限定しない。
【０００８】
スイッチは、壁スイッチとすることができる。
【０００９】
所定の操作とは、例えばプルスイッチやリモコン装置を連続して複数回操作することをいう。
【００１０】
点灯回路の出力を制御とは、主照明用ランプおよび補助照明用ランプを全光、調光、消灯させること等をいい、調光は段調光、連続調光のいずれでもよい。
【００１１】
制御手段は、検出手段からの信号により点灯回路の出力を制御して、主照明用ランプの全光、調光、常夜灯の点灯、消灯に切り換えるものであるが、この点灯状態に限定されない。スイッチを瞬時開閉（  〜１．５秒）すると、検出手段は、当該瞬時開閉に伴う瞬時遮断を検出し、主照明用ランプおよび補助照明用ランプの点灯状態が切り換わるように制御手段に信号を送出する。リモコン装置またはプルスイッチによる所定の操作によって、スイッチによる点灯回路の出力の制御を禁止すると電源の瞬時遮断による制御が禁止されるため、瞬時停電が発生してもその停電による切り換え動作が発生しない。また、リモコン装置またはプルスイッチによって前記禁止を解除する所定の操作が行われると、スイッチの瞬時開閉の操作によって主照明用ランプおよび補助照明用ランプの点灯状態が切り換えられるようになる。
【００１２】
請求項２に記載の照明装置の発明は、請求項１に記載の照明装置において、禁止手段は、リモコン装置による特定の操作がなされたときに、制御手段における前記スイッチの瞬時開閉の操作に応じた制御を禁止することを特徴とする。
【００１３】
特定の操作とは、特定の信号を送信することを言い、全光、調光、常夜灯の点灯、消灯などの各信号を組み合わせて送信することの他、専用の信号を送信してもよい。
【００１４】
リモコン装置によって点灯回路の出力の制御を禁止する特定の信号を送信する。これにより、スイッチの瞬時開閉の操作によって主照明用ランプおよび補助照明用ランプを点消灯させることはできなくなるので、瞬時停電が発生しても点灯回路の出力は瞬時停電前の状態を保持し、主照明用ランプおよび補助照明用ランプが不所望に点灯されることはない。また、リモコン装置によって前記禁止を解除する特定の信号を送信すると、スイッチの瞬時開閉の操作によって主照明用ランプおよび補助照明用ランプの点灯状態が切り換えられるようになる。
【００１５】
【発明の実施の形態】
以下、本発明の実施の形態を図面を参照して説明する。
【００１６】
図２は、本発明の実施形態を示す照明装置１０である。照明器具１１は、主照明用ランプとしての蛍光ランプ１２および図示しない補助照明用ランプとしての常夜灯を搭載して天井１３のシーリングソケット１４により吊持されている。照明器具１１はさらに点灯装置１５を内蔵しており、その点灯装置１５は壁スイッチ１を介して商用電源３に接続され給電されている。壁スイッチ１を瞬時開閉することにより、蛍光ランプ１２を順次全光、調光、常夜灯の点灯、消灯に切り換える。また、１６はプルスイッチで壁スイッチ１と同様に手動でオンオフすることによって蛍光ランプ１２を順次全光、調光、常夜灯の点灯、消灯に切り換える。１７はリモコン装置で全光、調光、常夜灯、消灯のそれぞれの操作釦を操作することによって蛍光ランプ１２を順次全光、調光、常夜灯の点灯、消灯に切り換える。
【００１７】
図１は、本発明の実施形態を示す照明装置１０のブロック図である。商用電源３に壁スイッチ等のスイッチ１を介して点灯装置１５が接続されている。点灯装置１５内では、スイッチ１の瞬時開閉に伴って生じる電圧の瞬時低下などの瞬時遮断を検出する検出手段１８がスイッチ１に接続され、さらに点灯回路としてのインバータ回路１９に接続されている。インバータ回路１９は蛍光ランプ１２を付勢している。図示しない常夜灯は商用電源３にスイッチ１、検出手段１８等を介して接続されている。インバータ回路１９内にはインバータ回路１９の出力を制御する制御手段２０が設けられ、検出手段１８により検出された瞬時遮断に応じて、または操作者による手動操作によって出力されたリモコン装置１７の出力信号に応じて、蛍光ランプ１２を順次全光、調光、常夜灯の点灯、消灯させるようにしている。また、インバータ回路１９内にはリモコン装置１７より特定の信号を受けて検出手段１８により瞬時遮断が検出されるスイッチの瞬時開閉の操作に応じた点灯回路の出力の制御を禁止する禁止手段２１が設けられている。リモコン装置１７は、蛍光ランプ１２を全光、調光、常夜灯を点灯、消灯させる信号を送信するとともにその各操作釦を備えている。
【００１８】
次に、本発明の実施形態の作用について述べる。
【００１９】
スイッチ１を瞬時開閉する毎に、検出手段１８は商用電源３の瞬時遮断を検出して順次切り換え信号を制御手段２０に送出する。インバータ回路１９は、制御手段２０の信号に応じて出力を制御する。この制御手段２０によるインバータ回路１９の出力の制御により、蛍光ランプ１２および常夜灯は、順次全光、調光、常夜灯の点灯、消灯に切り換わる。一方、リモコン装置１７の全光、調光、常夜灯の点灯、消灯に対応した赤外線信号が送信されると、照明装置１０に設けられた図示しない受光部が赤外線信号を受光する。制御手段２０はその信号を判別して、蛍光ランプ１２および常夜灯が全光、調光、常夜灯の点灯、消灯に切り換わるようにインバータ回路１９の出力を制御する。また、プルスイッチ１６の操作によっても、蛍光ランプ１２および常夜灯は、順次全光、調光、常夜灯の点灯、消灯に切り換えられる。
【００２０】
スイッチ１の開閉操作（瞬時停電を含む。）によって蛍光ランプ１２および常夜灯の点消灯を禁止したい場合あるいはスイッチ１が不用の照明装置１０を提供したい場合は、リモコン装置１７より特定の信号を送信する。その信号はインバータ回路１９の禁止手段２１によって判別され、禁止手段１９は検出手段１８により瞬時遮断が検出されるスイッチ１の瞬時開閉の操作に応じたインバータ回路１９の出力の制御を禁止する信号を送出する。その禁止を解除したい場合は、リモコン装置１７より解除のための特定信号を送信する。
【００２１】
図３および図４に本発明の実施形態の制御のフロー図を示す。図３は、リモコン装置１７，プルスイッチ１６および壁スイッチ１の操作による蛍光ランプ１２および常夜灯の全光，調光，常夜灯点灯，消灯の各モードの制御のフローチャートを示す。図４は、リモコン装置１７を用いて制御手段２０による壁スイッチ１の瞬時開閉の操作に応じたインバータ回路１９の出力の制御を禁止および許可するフローチャートを示す。図４において、「受信データの確認」は本照明装置１０用のリモコン装置１７による信号であるかを判断しているものであり、また、操作釦を一回操作する度に図３のフロー図に組み込まれている。
【００２２】
検出手段１８による制御手段２０の制御、すなわち壁スイッチ１の瞬時開閉の操作に応じた検出手段１８からの信号に応動して制御手段２０がインバータ回路１９の出力を制御することを禁止したい場合は、リモコン装置１７の全光，調光，常夜灯，消灯の各ボタンを操作時間１０秒以内に、全光，全光，調光（または消灯、以下、同じ），調光，全光，全光，調光，調光，全光，全光の順序で操作することによってなされる。また、検出手段１８による制御手段２０の制御を許可（解除）したい場合は、操作時間１０秒以内に、常夜灯，常夜灯，消灯（または調光、以下、同じ），消灯，常夜灯，常夜灯，消灯，消灯，常夜灯，常夜灯の順序で操作釦を操作することによってなされる。なお、操作時間，操作回数，操作順序は適宜定めればよい。またリモコン装置１７の複数の操作釦を同時に操作してリモコン装置１７が特定の信号を送出するように構成してもよい。さらに、リモコン装置１７に禁止または許可（解除）用の専用の操作釦および信号を設けてもよい。
【００２３】
リモコン装置１７、プルスイッチ１６および壁スイッチ１によって蛍光ランプ１２および常夜灯の点灯状態を順次切り換えることのできる照明装置１０において、例えば、部屋を不在とする時や就寝中に検出手段１８による制御手段２０の制御を禁止すると、瞬時停電によって不所望に点灯することが防止される。また、リモコン装置１７あるいはプルスイッチ１６のみによって蛍光ランプ１２および常夜灯の点灯状態を順次切り換えることのできる照明装置１０を使用する場合は、リモコン装置１７、プルスイッチ１６および壁スイッチ１によって蛍光ランプ１２および常夜灯の点灯状態を順次切り換えることのできる照明装置１０において、壁スイッチ１の開閉による操作機能を使わないとともに検出手段１８による制御手段２０の制御を禁止すると、瞬時停電の発生によって不所望に照明状態が切り換わることが防止できる。したがって、リモコン装置１７あるいはプルスイッチ１６のみによって蛍光ランプ１２および常夜灯の点灯状態を順次切り換えることのできる専用の照明装置１０を備える必要がない。
【００２４】
【発明の効果】
請求項１の発明によれば、リモコン装置またはプルスイッチによる所定の操作によって禁止手段により制御手段におけるスイッチの瞬時開閉の操作に応じた点灯回路の出力の制御が禁止されるので、リモコン装置、プルスイッチおよびスイッチによって主照明用ランプおよび補助照明用ランプの点灯状態を切り換えることのできる照明装置を、リモコン装置あるいはプルスイッチを用いて主照明用ランプおよび補助照明用ランプの点灯状態を切り換えることのできる照明装置に共用化でき照明装置の利便性が向上する。また、前記禁止を解除する所定の操作によって禁止手段による制御手段に対する前記禁止が解除するので、リモコン装置、プルスイッチおよびスイッチによって主照明用ランプおよび補助照明用ランプの点灯状態を切り換えることのできる照明装置をリモコン装置、プルスイッチおよびスイッチによって主照明用ランプおよび補助照明用ランプの点灯状態を切り換えることができる。
【００２５】
請求項２の発明によれば、リモコン装置で容易にスイッチの瞬時開閉の操作による主照明用ランプおよび補助照明用ランプの点灯状態の切り換えを禁止することができる。
【図面の簡単な説明】
【図１】本発明の実施形態を示す照明装置のブロック図。
【図２】本発明の実施形態を示す照明装置の説明図。
【図３】本発明の実施形態の各モードの制御のフロー図。
【図４】本発明の実施形態の制御を禁止および許可するフロー図。
【図５】従来の照明装置の回路図。
【符号の説明】
１    スイッチ
１０  照明装置
１２  蛍光ランプ
１７  リモコン装置
１８  検出手段
１９  インバータ回路
２０  制御手段
２１  禁止手段
【図１】
0003951151.tif 000002
【図２】
0003951151.tif 000003
【図３】
0003951151.tif 000004
【図４】
0003951151.tif 000005
【図５】
0003951151.tif 000006